【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
識別情報を表示する表示装置と、所定の始動条件の成立を検出する検出手段と、その検出手段によって前記始動条件の成立が検出された場合に抽選を行う抽選手段と、その抽選手段による抽選結果に基づいて前記表示装置に表示される前記識別情報の動的表示の態様を選定する選定手段と、その選定手段によって選定された前記動的表示の態様で前記表示装置に前記動的表示を行わせる変動実行手段と、前記抽選手段による所定の抽選結果が導出された場合に第１状態から遊技者にとって有利な第２状態に変化する変動入賞手段とを備え、前記所定の抽選結果が導出されると、前記動的表示に予め定めた表示結果を現出させると共に前記変動入賞手段によって遊技者に所定の遊技価値を付与する遊技機において、
閉状態とその閉状態より前記始動条件の成立としての始動口への入球がし易い開状態とを切り替える入球状態切替手段と、
その入球状態切替手段の動作を制御する手段であって予め定めた表示結果が現出した後に所定の回数条件が成立するまで実行される動的表示の実行期間中にはその期間の経過後に比べて前記開状態を高比率で生起させる入球制御手段と、
前記所定の抽選結果の導出を所定の確率で判断する第１判断手段と、
その第１判断手段より高確率で前記所定の抽選結果の導出とする条件に基づいて前記所定の抽選結果の導出を判断する第２判断手段と、
前記入球制御手段によって前記開状態が前記高比率で生起させられた期間中に実行される動的表示のうち最初から少なくとも１回以上の動的表示で構成される高確率期間中の動的表示に対して前記第２判断手段により前記所定の抽選結果の導出を判断させ、所定条件の成立に基づいて前記第２判断手段から前記第１判断手段へと前記所定の抽選結果の導出を判断する手段を切り替えて前記所定の抽選結果の導出確率を低確率にする抽選条件切替手段とを備え、
前記選定手段は、
前記入球制御手段によって前記開状態が前記高比率で生起させられた期間中において、前記高確率期間であるか否かに関わらず同一又は類似の態様で前記表示装置にて前記動的表示が行われる動的表示を対象として、前記動的表示の態様を選定する第１選定手段と、
前記入球制御手段によって前記開状態が前記高比率で生起させられた期間の経過後において、前記高確率期間であるか否かに関わらず同一又は類似の態様で前記表示装置にて前記動的表示が行われる動的表示を対象として、前記動的表示の態様を選定する第２選定手段とを備えていることを特徴とする遊技機。
【手続補正２】
【補正対象書類名】明細書
【補正対象項目名】０００６
【補正方法】変更
【補正の内容】
【０００６】
本発明は、上述した問題点を解決するためになされたものであり、単調化を回避することができる遊技性を備えた遊技機を提供することを目的としている。
【手続補正３】
【補正対象書類名】明細書
【補正対象項目名】０００７
【補正方法】変更
【補正の内容】
【０００７】
この目的を達成するために請求項１記載の遊技機は、識別情報を表示する表示装置と、所定の始動条件の成立を検出する検出手段と、その検出手段によって前記始動条件の成立が検出された場合に抽選を行う抽選手段と、その抽選手段による抽選結果に基づいて前記表示装置に表示される前記識別情報の動的表示の態様を選定する選定手段と、その選定手段によって選定された前記動的表示の態様で前記表示装置に前記動的表示を行わせる変動実行手段と、前記抽選手段による所定の抽選結果が導出された場合に第１状態から遊技者にとって有利な第２状態に変化する変動入賞手段とを備え、前記所定の抽選結果が導出されると、前記動的表示に予め定めた表示結果を現出させると共に前記変動入賞手段によって遊技者に所定の遊技価値を付与するものであり、閉状態とその閉状態より前記始動条件の成立としての始動口への入球がし易い開状態とを切り替える入球状態切替手段と、その入球状態切替手段の動作を制御する手段であって予め定めた表示結果が現出した後に所定の回数条件が成立するまで実行される動的表示の実行期間中にはその期間の経過後に比べて前記開状態を高比率で生起させる入球制御手段と、前記所定の抽選結果の導出を所定の確率で判断する第１判断手段と、その第１判断手段より高確率で前記所定の抽選結果の導出とする条件に基づいて前記所定の抽選結果の導出を判断する第２判断手段と、前記入球制御手段によって前記開状態が前記高比率で生起させられた期間中に実行される動的表示のうち最初から少なくとも１回以上の動的表示で構成される高確率期間中の動的表示に対して前記第２判断手段により前記所定の抽選結果の導出を判断させ、所定条件の成立に基づいて前記第２判断手段から前記第１判断手段へと前記所定の抽選結果の導出を判断する手段を切り替えて前記所定の抽選結果の導出確率を低確率にする抽選条件切替手段とを備え、前記選定手段は、前記入球制御手段によって前記開状態が前記高比率で生起させられた期間中において、前記高確率期間であるか否かに関わらず同一又は類似の態様で前記表示装置にて前記動的表示が行われる動的表示を対象として、前記動的表示の態様を選定する第１選定手段と、前記入球制御手段によって前記開状態が前記高比率で生起させられた期間の経過後において、前記高確率期間であるか否かに関わらず同一又は類似の態様で前記表示装置にて前記動的表示が行われる動的表示を対象として、前記動的表示の態様を選定する第２選定手段とを備えている。
【手続補正４】
【補正対象書類名】明細書
【補正対象項目名】０００９
【補正方法】変更
【補正の内容】
【０００９】
ここで、高確率期間中の動的表示に対しては、第２判断手段により所定の抽選結果の導出が判断されるものであり、この高確率期間は、開状態が高比率で生起させられる期間中における最初から少なくとも１回以上の動的表示で構成される。
【手続補正５】
【補正対象書類名】明細書
【補正対象項目名】００１０
【補正方法】変更
【補正の内容】
【００１０】
また、開状態が高比率で生起させられる期間中には、高確率期間であるか否かに関わらず、第１選定手段によって同一又は類似の態様で表示装置にて動的表示が行われるように動的表示の態様が選定される。遊技者は、高確率から低確率へ遊技状態が遷移しても高確率期間中であることを期待する。
【手続補正６】
【補正対象書類名】明細書
【補正対象項目名】００１１
【補正方法】変更
【補正の内容】
【００１１】
開状態が高比率で生起させられる期間の終了後においては、第２選定手段によって動的表示の態様が選定される。変動実行手段により高確率期間であるか否かに関わらず同一又は類似の態様で表示装置にて動的表示が行われる。遊技者は、開状態の生起比率は変化したものの高確率期間が継続中であることを期待する。
【手続補正７】
【補正対象書類名】明細書
【補正対象項目名】００１２
【補正方法】変更
【補正の内容】
【００１２】
請求項１記載の遊技機によれば、遊技者は、高確率から低確率へ遊技状態が遷移しても高確率期間中であることを期待することができ、単調化を回避することができるという効果がある。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
また、開状態が高比率で生起させられる所定回数の動的表示の実行期間の終了後に高確率期間であるか否かに関わらず同一又は類似の態様で表示装置にて動的表示が行われる。遊技者は、開状態の生起比率は変化したものの高確率期間中であることを期待し、遊技価値の獲得を期待することができる。なお、開状態を高比率で生起させるとは、単位時間当たりの開放時間の割合が長くなることを意味しており、１回当たりの変動時間が短くなること、開放に対しての抽選の当選確率が高くなること、１回当たりの開放時間が長くなること等のうち少なくとも１つが切り替わることを意味している。